(57)【要約】【課題】映像にあわせて出力される音声の提供をユーザが容易に受けることができるようにする。【解決手段】情報管理サーバ１においては、番組の音声をストリーミングによって提供するストリーミングサーバに関する情報が管理されており、テレビジョン受信装置３−１により再生されている番組の音声を提供するストリーミングサーバが検索される。検索の結果は、音声提供元情報としてテレビジョン受信装置３−１に送信される。音声提供元情報には、再生中の番組の音声を提供するストリーミングサーバのネットワーク４上の識別情報などが含まれる。テレビジョン受信装置３−１においては、音声提供元情報に含まれる情報に基づいてストリーミングサーバから取得された音声が番組の映像にあわせて出力される。本発明はテレビジョン受信装置に適用することができる。【選択図】図１
2007274228.tif 000002
【特許請求の範囲】
【請求項１】
ネットワークを介して接続される、情報管理装置と再生装置からなる通信システムにおいて、
前記情報管理装置は、
前記再生装置において再生されるコンテンツの音声を提供する提供装置に関する情報を管理する管理手段と、
前記再生装置において取得された再生対象のコンテンツに関する情報が前記再生装置から送信されてきたとき、再生対象の前記コンテンツの音声を提供する提供装置に関する情報を前記再生装置に送信する送信手段と
を備え、
前記再生装置は、
取得した再生対象のコンテンツに関する情報を前記情報管理装置に送信する送信手段と、
前記情報管理装置から送信されてきた情報に基づいて、再生対象の前記コンテンツの音声を提供する提供装置から音声を取得する取得手段と
を備える通信システム。
【請求項２】
映像と音声を含むコンテンツを再生する再生装置とネットワークを介して接続される情報管理装置において、
前記再生装置において再生されるコンテンツの音声を提供する提供装置に関する情報を管理する管理手段と、
前記再生装置において取得された再生対象のコンテンツに関する情報が前記再生装置から送信されてきたとき、再生対象の前記コンテンツの音声を提供する提供装置に関する情報を前記再生装置に送信する送信手段と
を備える情報管理装置。
【請求項３】
映像と音声を含むコンテンツを再生する再生装置とネットワークを介して接続される情報管理装置の情報管理方法において、
前記再生装置において再生されるコンテンツの音声を提供する提供装置に関する情報を管理し、
前記再生装置において取得された再生対象のコンテンツに関する情報が前記再生装置から送信されてきたとき、再生対象の前記コンテンツの音声を提供する提供装置に関する情報を前記再生装置に送信する
ステップを含む情報管理方法。
【請求項４】
映像と音声を含むコンテンツを再生する再生装置とネットワークを介して接続される情報管理装置の情報管理処理をコンピュータに実行させるプログラムにおいて、
前記再生装置において再生されるコンテンツの音声を提供する提供装置に関する情報を管理し、
前記再生装置において取得された再生対象のコンテンツに関する情報が前記再生装置から送信されてきたとき、再生対象の前記コンテンツの音声を提供する提供装置に関する情報を前記再生装置に送信する
ステップを含むプログラム。
【請求項５】
コンテンツの音声を提供する提供装置に関する情報を管理する情報管理装置とネットワークを介して接続される再生装置において、
取得した再生対象のコンテンツに関する情報を前記情報管理装置に送信する送信手段と、
前記情報管理装置から送信されてきた情報に基づいて、再生対象の前記コンテンツの音声を提供する提供装置から音声を取得する取得手段と
を備える再生装置。
【請求項６】
再生対象の前記コンテンツを再生し、前記コンテンツの映像を表示させることにあわせて、前記取得手段により取得されたデータに基づいて音声を出力させる再生手段をさらに備える
請求項５に記載の再生装置。
【請求項７】
前記再生手段は、映像とともに取得された再生対象の前記コンテンツの音声と、前記取得手段により取得されたデータに基づく音声とをユーザによる選択に応じて切り替えて出力させる
請求項６に記載の再生装置。
【請求項８】
前記情報管理装置から送信されてきた情報に基づいて、再生対象の前記コンテンツの映像にあわせて出力することが可能な音声の一覧を表示させる表示制御手段をさらに備え、
前記取得手段は、一覧からユーザにより選択された音声を取得する
請求項５に記載の再生装置。
【請求項９】
前記送信手段は、再生対象のコンテンツが切り替えられる毎に、再生対象のコンテンツに関する情報を前記情報管理装置に送信する
請求項５に記載の再生装置。
【請求項１０】
コンテンツの音声を提供する提供装置に関する情報を管理する情報管理装置とネットワークを介して接続される再生装置の情報処理方法において、
取得した再生対象のコンテンツに関する情報を前記情報管理装置に送信し、
前記情報管理装置から送信されてきた情報に基づいて、再生対象の前記コンテンツの音声を提供する提供装置から音声を取得する
ステップを含む情報処理方法。
【請求項１１】
コンテンツの音声を提供する提供装置に関する情報を管理する情報管理装置とネットワークを介して接続される再生装置の情報処理をコンピュータに実行させるプログラムにおいて、
取得した再生対象のコンテンツに関する情報を前記情報管理装置に送信し、
前記情報管理装置から送信されてきた情報に基づいて、再生対象の前記コンテンツの音声を提供する提供装置から音声を取得する
ステップを含むプログラム。
【発明の詳細な説明】
【技術分野】
【０００１】
本発明は、通信システム、情報管理装置、情報管理方法、再生装置、情報処理方法、およびプログラムに関し、特に、テレビジョン番組などのコンテンツの映像にあわせて出力される音声の提供をユーザが容易に受けることができるようにした通信システム、情報管理装置、情報管理方法、再生装置、情報処理方法、およびプログラムに関する。
【背景技術】
【０００２】
近年普及してきているディジタルテレビジョン放送の規格では、１つの番組に対して最大８チャンネルまで音声を多重化することができ、その数のチャンネルからなる音声サービスを提供することが可能とされているが、実際には、ステレオ音声によるサービス、主音声と副音声の二重音声によるサービスといった程度のものしか運用されていない。
【０００３】
したがって、選択することができる音声の種類は例えば主音声と副音声の２種類だけであり、必ずしも、視聴者が自分の好みにあった音声サービスを受けながら番組を視聴することができるとは限らない。例えば、サッカー中継の放送において、主音声ではある解説者による解説が淡々と行われ、副音声では他の解説者による解説が熱狂的に行われている場合、視聴者は、いずれかの解説者による解説を聞きながらサッカーの試合を見なければならず、その２人以外の解説者による解説を聞きながら試合を見るといったことはできない。
【０００４】
そこで、番組の映像は放送波を介して受信されたものを使い、映像にあわせて出力させる音声は、インターネットなどのネットワークを経由してストリーミングによって取得したものを使うといったテレビジョン受信装置も提案されている。１つの番組について、音声サービスを提供するサーバが複数用意されている場合、ユーザは、その複数のサーバの中から好みの音声サービスを提供するサーバを選択し、選択したサーバによって提供される音声サービスを利用して番組を視聴することができる。
【０００５】
特許文献１には、番組の映像にあわせて出力される音声を、番組のジャンル毎にデータベースにあらかじめ用意される音場制御情報を用いて再生する技術が開示されている。
【特許文献１】特開２００２−３３９７６号公報
【発明の開示】
【発明が解決しようとする課題】
【０００６】
上述したようにしてサーバによって提供される音声サービスを利用する場合、ユーザは、ネットワーク上で提供されている音声サービスを探すことを自ら行う必要があり、そのような操作が複雑であるという問題がある。
【０００７】
本発明はこのような状況に鑑みてなされたものであり、テレビジョン番組などのコンテンツの映像にあわせて出力される音声の提供をユーザが容易に受けることができるようにするものである。
【課題を解決するための手段】
【０００８】
本発明の第１の側面の通信システムは、ネットワークを介して接続される、情報管理装置と再生装置からなる。このうちの前記情報管理装置は、前記再生装置において再生されるコンテンツの音声を提供する提供装置に関する情報を管理する管理手段と、前記再生装置において取得された再生対象のコンテンツに関する情報が前記再生装置から送信されてきたとき、再生対象の前記コンテンツの音声を提供する提供装置に関する情報を前記再生装置に送信する送信手段とを備え、前記再生装置は、取得した再生対象のコンテンツに関する情報を前記情報管理装置に送信する送信手段と、前記情報管理装置から送信されてきた情報に基づいて、再生対象の前記コンテンツの音声を提供する提供装置から音声を取得する取得手段とを備える。
【０００９】
本発明の第２の側面の情報管理装置は、映像と音声を含むコンテンツを再生する再生装置とネットワークを介して接続される情報管理装置において、前記再生装置において再生されるコンテンツの音声を提供する提供装置に関する情報を管理する管理手段と、前記再生装置において取得された再生対象のコンテンツに関する情報が前記再生装置から送信されてきたとき、再生対象の前記コンテンツの音声を提供する提供装置に関する情報を前記再生装置に送信する送信手段とを備える。
【００１０】
本発明の第２の側面の情報管理方法またはプログラムは、再生装置において再生されるコンテンツの音声を提供する提供装置に関する情報を管理し、前記再生装置において取得された再生対象のコンテンツに関する情報が前記再生装置から送信されてきたとき、再生対象の前記コンテンツの音声を提供する提供装置に関する情報を前記再生装置に送信するステップを含む。
【００１１】
本発明の第３の側面の再生装置は、コンテンツの音声を提供する提供装置に関する情報を管理する情報管理装置とネットワークを介して接続される再生装置において、取得した再生対象のコンテンツに関する情報を前記情報管理装置に送信する送信手段と、前記情報管理装置から送信されてきた情報に基づいて、再生対象の前記コンテンツの音声を提供する提供装置から音声を取得する取得手段とを備える。
【００１２】
再生対象の前記コンテンツを再生し、前記コンテンツの映像を表示させることにあわせて、前記取得手段により取得されたデータに基づいて音声を出力させる再生手段をさらに設けることができる。
【００１３】
前記再生手段には、映像とともに取得された再生対象の前記コンテンツの音声と、前記取得手段により取得されたデータに基づく音声とをユーザによる選択に応じて切り替えて出力させることができる。
【００１４】
前記情報管理装置から送信されてきた情報に基づいて、再生対象の前記コンテンツの映像にあわせて出力することが可能な音声の一覧を表示させる表示制御手段をさらに設けることができる。この場合、前記取得手段には、一覧からユーザにより選択された音声を取得させることができる。
【００１５】
前記送信手段には、再生対象のコンテンツが切り替えられる毎に、再生対象のコンテンツに関する情報を前記情報管理装置に送信させることができる。
【００１６】
本発明の第３の側面の情報処理方法またはプログラムは、取得した再生対象のコンテンツに関する情報を情報管理装置に送信し、前記情報管理装置から送信されてきた情報に基づいて、再生対象の前記コンテンツの音声を提供する提供装置から音声を取得するステップを含む。
【００１７】
本発明の第１の側面においては、再生装置において再生されるコンテンツの音声を提供する提供装置に関する情報が管理され、前記再生装置において取得された再生対象のコンテンツに関する情報が前記再生装置から送信されてきたとき、再生対象の前記コンテンツの音声を提供する提供装置に関する情報が前記再生装置に送信される。また、取得された再生対象のコンテンツに関する情報が情報管理装置に送信され、前記情報管理装置から送信されてきた情報に基づいて、再生対象の前記コンテンツの音声を提供する提供装置から音声が取得される。
【００１８】
本発明の第２の側面においては、再生装置において再生されるコンテンツの音声を提供する提供装置に関する情報が管理され、前記再生装置において取得された再生対象のコンテンツに関する情報が前記再生装置から送信されてきたとき、再生対象の前記コンテンツの音声を提供する提供装置に関する情報が前記再生装置に送信される。
【００１９】
本発明の第３の側面においては、取得した再生対象のコンテンツに関する情報が情報管理装置に送信され、前記情報管理装置から送信されてきた情報に基づいて、再生対象の前記コンテンツの音声を提供する提供装置から音声が取得される。
【発明の効果】
【００２０】
本発明によれば、ユーザは、容易に、テレビジョン番組などのコンテンツの映像にあわせて出力される音声の提供を受けることができる。
【発明を実施するための最良の形態】
【００２１】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００２２】
本発明の第１の側面の通信システムは、ネットワークを介して接続される、情報管理装置と再生装置からなる。このうちの情報管理装置は、本発明の第２の側面の情報処理装置と実質的に同様の構成を有し、再生装置は、本発明の第３の側面の再生装置と実質的に同様の構成を有する。
【００２３】
本発明の第２の側面の情報管理装置（例えば、例えば、図１の情報管理サーバ１）は、映像と音声を含むコンテンツを再生する再生装置（例えば、図１のテレビジョン受信装置３−１）とネットワークを介して接続される情報管理装置において、前記再生装置において再生されるコンテンツの音声を提供する提供装置に関する情報を管理する管理手段（例えば、図５の関連情報管理部５２）と、前記再生装置において取得された再生対象のコンテンツに関する情報が前記再生装置から送信されてきたとき、再生対象の前記コンテンツの音声を提供する提供装置に関する情報を前記再生装置に送信する送信手段（例えば、図５の音声提供元情報生成部５１）とを備える。
【００２４】
本発明の第２の側面の情報管理方法またはプログラムは、再生装置において再生されるコンテンツの音声を提供する提供装置に関する情報を管理し、前記再生装置において取得された再生対象のコンテンツに関する情報が前記再生装置から送信されてきたとき、再生対象の前記コンテンツの音声を提供する提供装置に関する情報を前記再生装置に送信するステップ（例えば、図１５のステップＳ２７）を含む。
【００２５】
本発明の第３の側面の再生装置（例えば、図１のテレビジョン受信装置３−１）は、コンテンツの音声を提供する提供装置に関する情報を管理する情報管理装置（例えば、図１の情報管理サーバ１）とネットワークを介して接続される再生装置において、取得した再生対象のコンテンツに関する情報を前記情報管理装置に送信する送信手段（例えば、図１１の受信情報生成部１１１）と、前記情報管理装置から送信されてきた情報に基づいて、再生対象の前記コンテンツの音声を提供する提供装置から音声を取得する取得手段（例えば、図１１の音声データ取得部１１４）とを備える。
【００２６】
この再生装置には、再生対象の前記コンテンツを再生し、前記コンテンツの映像を表示させることにあわせて、前記取得手段により取得されたデータに基づいて音声を出力させる再生手段（例えば、図１１の再生制御部１１５）をさらに設けることができる。
【００２７】
また、前記情報管理装置から送信されてきた情報に基づいて、再生対象の前記コンテンツの映像にあわせて出力することが可能な音声の一覧を表示させる表示制御手段（例えば、図１１の表示制御部１１３）をさらに設けることもできる。
【００２８】
本発明の第３の側面の情報処理方法またはプログラムは、取得した再生対象のコンテンツに関する情報を情報管理装置に送信し、前記情報管理装置から送信されてきた情報に基づいて、再生対象の前記コンテンツの音声を提供する提供装置から音声を取得するステップ（例えば、図１６のステップＳ３３）を含む。
【００２９】
以下、本発明の実施の形態について図を参照して説明する。
【００３０】
図１は、本発明の一実施形態に係る通信システムの構成例を示す図である。
【００３１】
図１に示されるように、この通信システムは、情報管理サーバ１、ストリーミングサーバ２−１乃至２−ｎ、テレビジョン受信装置３−１乃至３−ｎがインターネットなどよりなるネットワーク４を介して相互に接続されることによって構成される。
【００３２】
情報管理サーバ１は、ストリーミングサーバ２−１乃至２−ｎのそれぞれからネットワーク４を介して送信されてくるストリーミングサーバに関する情報である関連情報に基づいて、ストリーミングサーバ２−１乃至２−ｎを管理する。関連情報には、それぞれのストリーミングサーバがどの番組の音声を提供しているのかに関する情報やストリーミングサーバ２−１乃至２−ｎのネットワーク４上の識別情報が含まれる。
【００３３】
また、情報管理サーバ１は、テレビジョン受信装置３−１乃至３−ｎにおいて受信され、視聴されている番組に関する情報である受信情報がテレビジョン受信装置３−１乃至３−ｎから送信されてきたとき、その番組の映像にあわせて出力可能な音声を提供するストリーミングサーバの情報を音声提供元情報としてテレビジョン受信装置３−１乃至３−ｎに送信する。
【００３４】
すなわち、情報管理サーバ１は、テレビジョン受信装置３−１乃至３−ｎにおいて視聴中の番組と、番組の映像にあわせて出力可能な音声を提供するストリーミングサーバのマッチングを行うサーバであるといえる。
【００３５】
ストリーミングサーバ２−１乃至２−ｎは、それぞれ、自分自身がストリーミングによって提供する音声がどの番組の音声であるのかを表す情報や、ネットワーク４上の識別情報などを含む関連情報を情報管理サーバ１に提供する。
【００３６】
また、ストリーミングサーバ２−１乃至２−ｎは、テレビジョン受信装置３−１乃至３−ｎからアクセスがあったとき、アクセスをしてきたテレビジョン受信装置３−１乃至３−ｎに番組の音声のデータをストリーミングによってネットワーク４を介して提供する。ストリーミングサーバ２−１乃至２−ｎのそれぞれからは、例えば、同じサッカー中継の番組について異なる解説者が解説する音声のデータなどの、テレビジョン受信装置３−１乃至３−ｎにおいて再生される番組の映像にあわせて出力可能な異なる音声のデータが提供される。以下、ストリーミングサーバ２−１乃至２−ｎのそれぞれを個々に区別する必要がない場合、まとめてストリーミングサーバ２という。
【００３７】
テレビジョン受信装置３−１乃至３−ｎは、地上アナログ放送、地上ディジタル放送、BS(Broadcasting Satellite)／CS(Communications Satellite)ディジタル放送によって放送される番組を受信し、再生する機能を有する。放送波を介して受信される番組は映像と音声からなり、テレビジョン受信装置３−１は、映像を表示パネルに表示させるとともに、音声をスピーカから出力させる。以下、テレビジョン受信装置３−１の構成、動作について主に説明するが、テレビジョン受信装置３−２乃至３−ｎもテレビジョン受信装置３−１と同様の構成を有しており、それにより同様の動作が行われる。
【００３８】
テレビジョン受信装置３−１は、番組を再生するとき、映像については、放送波を介して受信された映像を用い、音声については、放送波を介して受信されたものだけでなく、ストリーミングサーバ２−１乃至２−ｎのうちのいずれかからネットワーク４を介して提供される音声を用いることができる。ユーザは、ストリーミングサーバ２−１によって提供される音声を聞きながら番組を視聴したり、ストリーミングサーバ２−２によって提供される音声を聞きながら番組を視聴したりすることができる。
【００３９】
例えば、テレビジョン受信装置３−１は、受信し、再生している番組の識別情報などを含む受信情報を情報管理サーバ１に送信し、その再生中の番組の映像にあわせて出力可能な音声を提供するストリーミングサーバ２を情報管理サーバ１に問い合わせる。
【００４０】
情報管理サーバ１においては、テレビジョン受信装置３−１による問い合わせに応じて、再生中の番組の音声を提供するストリーミングサーバ２の検索が行われ、検索の結果が、音声提供元情報としてストリーミングサーバ２からテレビジョン受信装置３−１に送信される。音声提供元情報には、テレビジョン受信装置３−１が再生している番組の音声を提供するストリーミングサーバ２の識別情報や、ストリーミングサーバ２によって提供される音声サービスの名前を表す情報などが含まれる。
【００４１】
図２は、テレビジョン受信装置３−１に表示される画面の例を示す図である。
【００４２】
番組の映像が表示されている状態で例えばリモートコントローラのツールボタンが押され、音声サービスの情報を表示することがユーザにより指示されたとき、図２に示されるように、テレビジョン受信装置３−１にはメニュー１１が番組の映像に重ねて表示され、このメニュー１１に音声サービスの一覧が表示される。
【００４３】
図２の例においては、「ネットラジオＡ」、「ネットストリーミングＢ」、「松永太郎のファイト」の名前の音声サービスがメニュー１１に表示され、そのうちの「松永太郎のファイト」が注目されている（カーソルがあてられ、強調表示されている）。「松永太郎のファイト」の下には、メニュー１１を閉じ、直前の画面の状態に戻るときに選択される項目である「戻る」が表示されている。
【００４４】
メニュー１１に表示される「ネットラジオＡ」は例えばストリーミングサーバ２−１によって提供される音声サービスの名前であり、「ネットストリーミングＢ」は例えばストリーミングサーバ２−２（図示せず）によって提供される音声サービスの名前である。「松永太郎のファイト」は例えばストリーミングサーバ２−３（図示せず）によって提供される音声サービスの名前である。このような音声サービスの一覧は、情報管理サーバ１から送信されてきた音声提供元情報に基づいて表示される。
【００４５】
テレビジョン受信装置３−１のユーザは、リモートコントローラの上下ボタンを押すことによってカーソルを移動させ、決定ボタンを押したときに注目している音声サービスを選択することができる。所定の音声サービスがユーザにより選択されたとき、テレビジョン受信装置３−１は、選択された音声サービスを提供するストリーミングサーバ２に、情報管理サーバ１から提供された音声提供元情報に含まれる情報に基づいてアクセスし、アクセス先のストリーミングサーバ２によって提供されるデータを用いて音声を出力させる。
【００４６】
なお、リモートコントローラに設けられる音声切り替えボタンが押される毎にアクセス先となるストリーミングサーバ２が切り替えられ、音声の提供元が切り替えられるようにしてもよい。リモートコントローラに設けられるボタンについては後に詳述する。
【００４７】
図３は、テレビジョン受信装置３−１に表示される他の画面の例を示す図である。
【００４８】
例えば、図２のメニュー１１から所定の音声サービスが選択され、映像にあわせて出力される音声がストリーミングサーバ２から提供される音声に切り替えられたとき、図３に示されるように、番組の情報として、放送日時、タイトルの他に、音声の提供元の情報が表示される。
【００４９】
図３の例においては、再生中の番組のタイトルは『サッカー「日本対ブラジル」』とされている。『サッカー「日本対ブラジル」』のタイトルの左隣には、放送日時が５月７日水曜日の２０：００〜２１：５４であることが表示され、右隣の領域２１（「ソース名」の文字が表示されている領域）には音声の提供元の情報が表示される。例えば、映像にあわせて出力されている音声の提供元のストリーミングサーバ２を管理する事業者の名前やその事業者を表すマークなどが領域２１には表示される。利用する音声をユーザが切り替える毎に領域２１の表示は切り替えられることになる。
【００５０】
このように、テレビジョン受信装置３−１のユーザは、提供元を自ら探したりすることなく、情報管理サーバ１から提供される情報に基づいて、容易に、いま自分が視聴している番組の音声の提供を受けることができる。
【００５１】
情報管理サーバ１とテレビジョン受信装置３−１の動作についてはフローチャートを参照して後述する。
【００５２】
図４は、情報管理サーバ１のハードウエア構成例を示すブロック図である。
【００５３】
CPU(Central Processing Unit)３１は、ROM(Read Only Memory)３２、または記憶部３８に記憶されているプログラムに従って各種の処理を実行する。RAM(Random Access Memory)３３には、CPU３１が実行するプログラムやデータなどが適宜記憶される。これらのCPU３１、ROM３２、およびRAM３３は、バス３４により相互に接続されている。
【００５４】
CPU３１にはまた、バス３４を介して入出力インターフェース３５が接続される。入出力インターフェース３５には、キーボード、マウスなどよりなる入力部３６、ディスプレイなどよりなる出力部３７が接続されている。
【００５５】
入出力インターフェース３５に接続されている記憶部３８は例えばハードディスクからなり、CPU３１が実行するプログラムや各種のデータを記憶する。通信部３９は、ネットワーク４を介して外部の装置と通信を行う。
【００５６】
入出力インターフェース３５に接続されているドライブ４０は、磁気ディスク、光ディスク、光磁気ディスク、或いは半導体メモリなどのリムーバブルメディア４１が装着されたとき、それらを駆動し、そこに記録されているプログラムやデータなどを取得する。取得されたプログラムやデータは、必要に応じて記憶部３８に転送され、記憶される。
【００５７】
図５は、情報管理サーバ１の機能構成例を示すブロック図である。図５に示す機能部のうちの少なくとも一部は、図４のCPU３１により所定のプログラムが実行されることによって実現される。
【００５８】
図５に示されるように、情報管理サーバ１においては音声提供元情報生成部５１、関連情報管理部５２、および関連情報DB５３が実現される。
【００５９】
音声提供元情報生成部５１は、テレビジョン受信装置３−１から送信されてきた受信情報が通信部３９において受信されたとき、それを関連情報管理部５２に出力し、テレビジョン受信装置３−１が受信し、再生している番組の音声を提供するストリーミングサーバ２の検索を行わせる。
【００６０】
音声提供元情報生成部５１は、テレビジョン受信装置３−１が再生している番組の音声を提供するストリーミングサーバ２が関連情報管理部５２により検索された場合、そのストリーミングサーバ２の関連情報を関連情報管理部５２から取得し、音声提供元情報を生成する。音声提供元情報生成部５１は、生成した音声提供元情報をテレビジョン受信装置３−１に送信する。
【００６１】
図６は、音声提供元情報のデータ構造の例を示す図である。
【００６２】
図６に示されるように、音声提供元情報はパケット化された形でテレビジョン受信装置３−１に提供される。音声提供元情報の１つのパケットはデータリンクヘッダ、IPヘッダ、TCPヘッダ、およびデータ部からなり、このうちのデータ部に、テレビジョン受信装置３−１が受信し、再生している番組の音声を提供するストリーミングサーバ２に関する情報が記述される。
【００６３】
例えば、データ部には、図６に示されるように、「id」、「uri(universal resource identifier)」、「component_type」、「stream_type」、および「sampling_rate」が記述される。
【００６４】
「id」、「uri」はストリーミングサーバ２の識別情報であり、このパケットを受信したテレビジョン受信装置３−１がストリーミングサーバ２にアクセスするときなどに用いられる。「uri」に替えて「url(universal resource linkage)」が記述されるようにしてもよい。
【００６５】
「component_type」は、ストリーミングサーバ２によって提供される音声のデータのコーデックを表し、「stream_type」は音声のストリームの形式を表す。また、「sampling_rate」は音声のサンプリング周波数を表す。
【００６６】
このような構造を有する音声提供元情報が音声提供元情報生成部５１によって生成され、テレビジョン受信装置３−１に送信される。
【００６７】
図５の説明に戻り、関連情報管理部５２は、ストリーミングサーバ２から送信されてきた関連情報が通信部３９において受信されたとき、それを取得し、関連情報DB５３に記憶させて管理する。
【００６８】
また、関連情報管理部５２は、音声提供元情報生成部５１から供給された受信情報と関連情報DB５３に記憶されている関連情報に基づいて、テレビジョン受信装置３−１が受信し、再生している番組の音声を提供するストリーミングサーバ２を検索し、そのストリーミングサーバ２から提供された関連情報を音声提供元情報生成部５１に出力する。音声提供元情報生成部５１に出力された関連情報は、音声提供元情報を生成するために用いられる。
【００６９】
関連情報DB５３は、関連情報管理部５２により取得された関連情報を記憶する。
【００７０】
図７は、関連情報のデータ構造の例を示す図である。
【００７１】
図７に示されるように、関連情報はパケット化された形でストリーミングサーバ２から提供される。関連情報の１つのパケットはデータリンクヘッダ、IPヘッダ、TCPヘッダ、およびデータ部からなり、このうちのデータ部に、情報管理サーバ１に対して関連情報を送信してきたストリーミングサーバ２に関する情報が記述される。
【００７２】
例えば、データ部には、図７に示されるように、「id」、「service_id」、「original_network_id」、「event_id」、「uri」、「component_type」、「stream_type」、「sampling_rate」が記述されるか、あるいは、「id」、「area」、「channel」、「start time」、「uri」、「component_type」、「stream_type」、「sampling_rate」が記述される。前者の「id」、「service_id」、「original_network_id」、「event_id」、「uri」、「component_type」、「stream_type」、「sampling_rate」は、例えば、ストリーミングサーバ２が提供する音声がディジタル放送の番組の音声である場合に記述され、後者の「id」、「area」、「channel」、「start time」、「uri」、「component_type」、「stream_type」、「sampling_rate」は、例えば、ストリーミングサーバ２が提供する音声がアナログ放送の番組の音声である場合に記述される。
【００７３】
「id」、「uri」、「component_type」、「stream_type」、「sampling_rate」は、図６に示される音声提供元情報のそれらの情報と同じである。
【００７４】
図７の「service_id」はディジタル放送における放送サービスの識別情報であり、「original_network_id」は地上波、BS/CSなどのネットワークの識別情報である。「event_id」はイベント（番組）の識別情報である。すなわち、「service_id」、「original_network_id」、「event_id」によって、この関連情報を情報管理サーバ１に送信してきたストリーミングサーバ２が提供する音声が、ディジタル放送の番組のうちのどの番組の音声であるのかが特定される。
【００７５】
図７の「area」は放送地域を表し、「channel」はその地域で使われているチャンネルの番号を表す。また、「start time」は番組の放送開始時刻を表す。したがって、「area」、「channel」、「start time」によって、この関連情報を情報管理サーバ１に送信してきたストリーミングサーバ２が提供する音声が、アナログ放送の番組のうちのどの番組の音声であるのかが特定される。
【００７６】
このような構造を有する関連情報が関連情報DB５３に記憶され、ストリーミングサーバ２の検索や音声提供元情報の生成に用いられる。
【００７７】
図８は、テレビジョン受信装置３−１のハードウエア構成例を示すブロック図である。
【００７８】
テレビジョン受信装置３−１は、地上アナログ放送受信用のアンテナからの信号が入力されるアンテナ入力端子６１と、ディジタル放送（地上ディジタル放送、BS／CSディジタル放送）受信用のアンテナからの信号が入力されるアンテナ入力端子６２を有している。いずれか一方の端子だけが設けられるようにしてもよい。
【００７９】
地上波チューナ６３は、アンテナ入力端子６１に入力された放送波信号を受信、復調し、映像信号および音声信号を取得する。地上波チューナ６３は、取得した音声信号を音声A/D(Analog/Digital)変換回路６４に出力し、映像信号をビデオデコーダ６５に出力する。
【００８０】
音声A/D変換回路６４は、地上波チューナ６３から供給された音声信号に対してA/D変換処理を施し、得られたディジタルの音声信号を音声信号処理回路７２に出力する。
【００８１】
ビデオデコーダ６５は、地上波チューナ６３から供給された映像信号に対してデコード処理を施し、得られたディジタルのコンポーネント信号を映像信号処理回路６８に出力する。
【００８２】
ディジタルチューナ６６は、アンテナ入力端子６２に入力された放送波信号を受信、復調し、MPEG-TS(Moving Picture Experts Group-Transport Stream)を取得する。ディジタルチューナ６６は、取得したMPEG-TSをMPEGデコーダ６７に出力する。
【００８３】
MPEGデコーダ６７は、ディジタルチューナ６６から供給されたMPEG-TSに施されているスクランブルを解除し、再生対象になっている番組のデータを含むストリームを抽出する。MPEGデコーダ６７は、抽出したストリームを構成する音声パケットをデコードし、得られた音声データを音声信号処理回路７２に出力するとともに、ストリームを構成する映像パケットをデコードし、得られた映像データを映像信号処理回路６８に出力する。
【００８４】
また、MPEGデコーダ６７は、MPEG-TSから抽出したEPG(Electronic Program Guide)データを図示せぬ経路を介してCPU７９に出力する。
【００８５】
映像信号処理回路６８は、ビデオデコーダ６５から供給された映像データに対して、あるいはMPEGデコーダ６７から供給された映像データに対してノイズ除去などの所定の処理を施し、得られた映像データをグラフィック生成回路６９に出力する。
【００８６】
グラフィック生成回路６９は、表示パネル７１に表示させる番組の映像データを生成し、生成した映像データをパネル駆動回路７０に出力する。また、グラフィック生成回路６９は、項目の選択などにユーザにより利用される画面を表示するための映像データ（グラフィック）を生成し、それを番組の映像データに重畳したりすることによって得られた映像データをパネル駆動回路７０に出力する。音声の提供元の一覧が表示される図２のメニューなどのユーザインタフェースが、このグラフィック生成回路６９により生成されたデータに基づいて実現される。
【００８７】
パネル駆動回路７０は、グラフィック生成回路６９から供給されたデータに基づいて表示パネル７１を駆動し、番組の映像や上述した各種の画面を表示パネル７１に表示させる。
【００８８】
表示パネル７１はLCD(Liquid Crystal Display)などよりなり、パネル駆動回路７０による制御にしたがって番組の映像などを表示させる。
【００８９】
音声信号処理回路７２は、音声A/D変換回路６４から供給された音声データに対して、あるいはMPEGデコーダ６７から供給された音声データに対してノイズ除去などの所定の処理を施し、得られた音声データを音声増幅回路７３に出力する。
【００９０】
また、音声信号処理回路７２は、音声デコーダ７５から供給された音声データにノイズ除去などの所定の処理を施し、得られた音声データを音声増幅回路７３に出力する。番組の映像にあわせて出力する音声としてストリーミングサーバ２から提供される音声が選択されている場合、ネットワーク４を介して取得された音声データをデコードして得られたデータが音声デコーダ７５から供給されてくる。
【００９１】
音声増幅回路７３は、音声信号処理回路７２から供給された音声データに対してD/A変換処理、増幅処理を施し、所定の音量に調整した後、番組の音声をスピーカ７４から出力させる。
【００９２】
音声デコーダ７５は、ネットワーク４を介して送信されてきた音声データがネットワークI/F８１において受信され、それが内部バス７６を介して供給されてきたとき、供給されてきた音声データをデコードし、デコードして得られた音声データを音声信号処理回路７２に出力する。例えば、ネットワーク４を介して送信される音声データは、所定のフォーマットのデータとなっており、それが音声デコーダ７５によってデコードされる。
【００９３】
内部バス７６には、SDRAM(Synchronous Dynamic Random Access Memory)７７、フラッシュメモリ７８、CPU７９、およびネットワークI/F８１も接続される。
【００９４】
SDRAM７７は、CPU７９が処理を行う上で必要な各種のデータを記憶する。
【００９５】
フラッシュメモリ７８は、CPU７９により実行されるプログラムを記憶する。フラッシュメモリ７８に記憶されているプログラムは、テレビジョン受信装置３−１の起動時などの所定のタイミングでCPU７９により読み出される。フラッシュメモリ７８には、ディジタル放送を介して取得されたEPGデータ、ネットワーク４を介して所定のサーバから取得されたEPGデータの他に、情報管理サーバ１から送信されてきた音声提供元情報なども記憶される。
【００９６】
CPU７９は、フラッシュメモリ７８に記憶されているプログラムを実行し、受光部８０から供給される制御コードなどに応じてテレビジョン受信装置３−１の全体の動作を制御する。CPU７９とテレビジョン受信装置３−１の各部は、図示せぬ経路を介して接続されている。
【００９７】
受光部８０は、リモートコントローラ９１からの赤外線を受光し、復調して得られたユーザ操作の内容を表す制御コードをCPU７９に出力する。
【００９８】
ネットワークI/F８１は、ネットワーク端子８２に装着されたケーブルを介してネットワーク４に接続し、ネットワーク４に接続される各種の装置とデータの送受信を行う。ネットワークI/F８１は、ストリーミングサーバ２から音声データが送信されてきたとき、それを受信し、内部バス７６を介して音声デコーダ７５に出力する。
【００９９】
また、ネットワークI/F８１は、情報管理サーバ１から送信されてくる音声提供元情報を受信したり、再生中の番組の情報である受信情報を情報管理サーバ１に送信したりする。
【０１００】
図９は、リモートコントローラ９１に設けられるボタンの例を示す図である。図９には、番組の視聴などに用いられる主なボタンだけを示している。
【０１０１】
図９に示されるように、リモートコントローラ９１には、テレビジョン受信装置３−１のスピーカ７４から出力される音声のモードを切り替えるときに操作される音声切り替えボタン１０１、カーソルを移動させ、注目する項目を切り替えるときなどに操作される上下左右ボタンと、項目を決定するときに操作される決定ボタンからなるボタン１０２、メニューを表示させるときなどに操作されるツールボタン１０３、および、直前の画面に戻るときに操作される戻るボタン１０４が設けられる。
【０１０２】
図１０Ａ乃至Ｃは、音声出力のモードの切り替えの例を示す図である。
【０１０３】
図１０Ａは、放送波によって受信される音声が主音声と副音声からなる二重音声である場合のモードの切り替えの例を示す図である。図１０Ａは、ネットワーク４を介して提供される音声を用いない、従来のモードの切り替えの例を示している。
【０１０４】
放送波によって受信される音声が主音声と副音声からなる場合、デフォルトの状態では主音声が出力されるモードＭ1が設定され、その状態でモードの切り替えが指示されたとき、副音声が出力されるモードＭ2が設定される。また、モードＭ2が設定されている状態でモードの切り替えが指示されたとき、主音声と副音声が合成して出力されるモードＭ3が設定される。モードＭ3が設定されている状態でモードの切り替えが指示されたとき、音声出力のモードはモードＭ1が設定される状態に戻る。
【０１０５】
図１０Ｂは、放送波によって受信される音声が主音声と副音声からなる二重音声である場合のモードの切り替えの例を示す図である。図１０Ｂは、ネットワーク４を介して提供される音声を用いるテレビジョン受信装置３−１におけるモードの切り替えの例を示している。
【０１０６】
放送波によって受信される音声が主音声と副音声からなり、また、再生中の番組の音声がストリーミングサーバ２から提供されている場合、デフォルトの状態では主音声が出力されるモードＭ11が設定され、その状態で音声切り替えボタン１０１が１回だけ押され、モードの切り替えが指示されたとき、副音声が出力されるモードＭ12が設定される。また、モードＭ12が設定されている状態で音声切り替えボタン１０１が１回だけ押され、モードの切り替えが指示されたとき、主音声と副音声が合成して出力されるモードＭ13が設定される。
【０１０７】
さらに、モードＭ13が設定されている状態で音声切り替えボタン１０１が１回だけ押され、モードの切り替えが指示されたとき、ネットワーク４を介してストリーミングサーバ２から提供される音声が出力されるモードＭ14が設定される。
【０１０８】
すなわち、モードＭ13が設定されている状態で音声切り替えボタン１０１が１回だけ押されたとき、情報管理サーバ１に対してテレビジョン受信装置３−１から受信情報が送信され、それに応じて情報管理サーバ１から送信されてきた音声提供元情報に基づいてストリーミングサーバ２に対するアクセスが行われる。また、アクセス先のストリーミングサーバ２から送信されてきたデータに基づいて音声がスピーカ７４から出力されるといった一連の処理が行われる。
【０１０９】
モードＭ14が設定されている状態でモードの切り替えが指示されたとき、音声出力のモードはモードＭ11が設定される状態に戻る。
【０１１０】
なお、モードＭ14が設定されている状態で音声切り替えボタン１０１が押された場合、再生中の番組の音声を提供するストリーミングサーバ２が複数あるときには、アクセス先となるストリーミングサーバ２が音声切り替えボタン１０１が押される毎に順次切り替えられ、それにより、スピーカ７４から出力される音声が切り替えられるようにしてもよい。
【０１１１】
図１０Ｃは、放送波によって受信される音声がステレオ音声である場合のモードの切り替えの例を示す図である。図１０Ｃも、ネットワーク４を介して提供される音声を用いるテレビジョン受信装置３−１におけるモードの切り替えの例を示している。
【０１１２】
放送波によって受信される音声がステレオ音声であり、また、再生中の番組の音声がストリーミングサーバ２から提供されている場合、デフォルトの状態ではステレオ音声が出力されるモードＭ21が設定され、その状態で音声切り替えボタン１０１が１回だけ押され、モードの切り替えが指示されたとき、ネットワーク４を介してストリーミングサーバ２から提供される音声が出力されるモードＭ22が設定される。
【０１１３】
モードＭ22が設定されているとき、テレビジョン受信装置３−１においては図１０ＢのモードＭ14が設定されているときと同じ処理が行われる。
【０１１４】
モードＭ22が設定されている状態でモードの切り替えが指示されたとき、音声出力のモードはモードＭ21が設定される状態に戻る。
【０１１５】
なお、このときも、再生中の番組の音声を提供するストリーミングサーバ２が複数あるときには、アクセス先となるストリーミングサーバ２が音声切り替えボタン１０１が押される毎に順次切り替えられ、それにより、スピーカ７４から出力される音声が切り替えられるようにしてもよい。
【０１１６】
このように、ユーザは、リモートコントローラ９１に設けられる音声切り替えボタン１０１を繰り返し押すだけで音声のモードを切り替えることができ、複雑な操作を行う必要がない。
【０１１７】
図１１は、テレビジョン受信装置３−１の機能構成例を示すブロック図である。図１１に示す機能部のうちの少なくとも一部は、図８のCPU７９により所定のプログラムが実行されることによって実現される。
【０１１８】
図１１に示されるように、テレビジョン受信装置３−１においては、受信情報生成部１１１、音声提供元情報取得部１１２、表示制御部１１３、音声データ取得部１１４、および再生制御部１１５が実現される。
【０１１９】
受信情報生成部１１１は、地上波チューナ６３またはディジタルチューナ６６により受信され、再生制御部１１５によって再生されている番組に関する情報である受信情報を生成し、生成した受信情報を、ネットワークI/F８１を制御して情報管理サーバ１に送信する。例えば、受信情報生成部１１１は、地上波チューナ６３またはディジタルチューナ６６により受信される番組が切り替えられる毎に（再生する番組が切り替えられる毎に）受信情報を生成し、情報管理サーバ１に送信する。
【０１２０】
図１２は、受信情報のデータ構造の例を示す図である。
【０１２１】
図１２に示されるように、受信情報はパケット化された形で情報管理サーバ１に提供される。受信情報の１つのパケットはデータリンクヘッダ、IPヘッダ、TCPヘッダ、およびデータ部からなり、このうちのデータ部に、再生中の番組に関する情報が記述される。
【０１２２】
例えば、データ部には、図１２に示されるように、「id」、「service_id」、「original_network_id」、「event_id」が記述されるか、あるいは、「id」、「area」、「channel」、「start time」が記述される。前者の「id」、「service_id」、「original_network_id」、「event_id」は、例えば、再生中の番組がディジタル放送の番組である場合に記述され、後者の「id」、「area」、「channel」、「start time」は、例えば、再生中の番組がアナログ放送の番組である場合に記述される。
【０１２３】
「id」はテレビジョン受信装置３−１の識別情報である。
【０１２４】
図１２の「service_id」はテレビジョン受信装置３−１が受信しているディジタル放送における放送サービスの識別情報であり、「original_network_id」は、テレビジョン受信装置３−１が受信している番組が、地上波、BS/CSなどのネットワークうちのどのネットワークによって提供されている番組であるのかを表す。「event_id」は、テレビジョン受信装置３−１が受信しているイベント（番組）の識別情報である。すなわち、「service_id」、「original_network_id」、「event_id」によって、再生中の番組が、ディジタル放送の番組のうちのどの番組の音声であるのかが特定される。
【０１２５】
なお、「service_id」、「original_network_id」、「event_id」は、例えば、ディジタル放送のSI(Service Information)に含まれるEIT(Event Information Table)から抽出され、データ部に記述される。
【０１２６】
図１２の「area」は、テレビジョン受信装置３−１が設置されている地域を表し、「channel」はテレビジョン受信装置３−１が受信しているチャンネルの番号を表す。また、「start time」は、テレビジョン受信装置３−１が受信し、再生している番組の放送開始時刻を表す。したがって、「area」、「channel」、「start time」によって、再生中の番組が、アナログ放送の番組のうちのどの番組であるのかが特定される。
【０１２７】
「area」、「channel」、「start time」は、例えば、アナログ放送のVBI(Vertical Blanking Interval)区間に挿入されたEPGデータから抽出され、データ部に記述される。
【０１２８】
このような構造を有する受信情報が受信情報生成部１１１により生成され、情報管理サーバ１に送信される。
【０１２９】
図１１の説明に戻り、音声提供元情報取得部１１２は、情報管理サーバ１から送信されてきた音声提供元情報がネットワークI/F８１において受信されたとき、それを取得し、表示制御部１１３と音声データ取得部１１４に出力する。
【０１３０】
表示制御部１１３は、パネル駆動回路７０などを制御し、音声提供元情報取得部１１２から供給された音声提供元情報に記述される音声の提供元の一覧を表示パネル７１に表示させたり、音声の提供元を表す情報を表示パネル７１に表示させる。
【０１３１】
音声データ取得部１１４は、例えば表示制御部１１３によって表示された一覧の中から所定の音声サービスが選択されたり、音声切り替えボタン１０１が押されることによって、ストリーミングサーバ２から提供される音声を出力することがユーザにより指示された場合、音声提供元情報取得部１１２から供給された音声提供元情報に記述される識別情報に基づいて、ユーザにより出力することが指示された音声を提供するストリーミングサーバ２にネットワーク４を介してアクセスし、音声データの提供を要求する。音声データ取得部１１４は、要求に応じてストリーミングサーバ２から送信されてきた音声データを取得し、取得した音声データを再生制御部１１５に出力する。
【０１３２】
再生制御部１１５は、ビデオデコーダ６５やMPEGデコーダ６７などを制御して番組の映像を表示パネル７１に表示させるとともに、音声信号処理回路７２などを制御して番組の音声をスピーカ７４から出力させる。再生制御部１１５は、音声データ取得部１１４によって取得された音声データが供給されてきた場合、その音声データに基づいて音声をスピーカ７４から出力させる。
【０１３３】
次に、以上のような構成を有する情報管理サーバ１とテレビジョン受信装置３−１の動作についてフローチャートを参照して説明する。
【０１３４】
はじめに、図１３のフローチャートを参照して、関連情報を管理する情報管理サーバ１の処理について説明する。
【０１３５】
ステップＳ１において、情報管理サーバ１の関連情報管理部５２（図５）は、ストリーミングサーバ２から関連情報が送信されてきたか否かを判定する。
【０１３６】
関連情報管理部５２は、ステップＳ１において、関連情報が送信されてきていないと判定した場合、処理を終了させ、一方、送信されてきたと判定した場合、ステップＳ２に進み、それを受信する。
【０１３７】
ステップＳ３において、関連情報管理部５２は、受信した関連情報を関連情報DB５３に記憶させ、処理を終了させる。
【０１３８】
このような処理が繰り返されることによって、関連情報DB５３には、テレビジョン受信装置３−１が再生する様々な番組の音声を提供するストリーミングサーバ２の情報が記憶されることになる。
【０１３９】
次に、図１４のフローチャートを参照して、受信情報を情報管理サーバ１に送信するテレビジョン受信装置３−１の処理について説明する。
【０１４０】
ステップＳ１１において、テレビジョン受信装置３−１の再生制御部１１５（図１１）は、電源が入れられたか否かを判定し、電源が既に入れられていると判定した場合、ステップＳ１２に進む。
【０１４１】
ステップＳ１２において、再生制御部１１５は、チャンネルの切り替えがユーザにより指示されたか否かを判定する。再生制御部１１５は、ステップＳ１２において、チャンネルの切り替えが指示されていないと判定した場合、処理を終了させ、チャンネルの切り替えが指示されたと判定した場合、ステップＳ１４に進む。このとき、再生制御部１１５は、地上波チューナ６３やディジタルチューナ６６を制御してチャンネルを切り替え、切り替えたチャンネルで放送される番組を各部に再生させる。
【０１４２】
一方、ステップＳ１１において、再生制御部１１５は、電源が入れられたと判定した場合、ステップＳ１３に進み、最後に受信していたチャンネルの情報であるラストチャンネル情報を取得して、そのチャンネルと同じチャンネルを地上波チューナ６３やディジタルチューナ６６に受信させる。電源のオフが指示されたとき、テレビジョン受信装置３−１においては、ラストチャンネル情報がフラッシュメモリ７８などに保存されるようになされている。電源のオフが指示される直前に受信されていたチャンネルと同じチャンネルの受信が開始されたとき、処理はステップＳ１４に進む。
【０１４３】
ステップＳ１４において、受信情報生成部１１１は、ディジタル放送のSIに含まれる情報やアナログ放送のEPGデータなどに基づいて再生中（受信中）の番組を表す受信情報を生成する。
【０１４４】
ステップＳ１５において、受信情報生成部１１１は、生成した受信情報を情報管理サーバ１に送信し、処理を終了させる。情報管理サーバ１においては、ここで送信された受信情報が受信されることに応じて、再生中の番組の音声を提供するストリーミングサーバ２の検索が行われる。
【０１４５】
次に、図１５のフローチャートを参照して、音声提供元情報をテレビジョン受信装置３−１に送信する情報管理サーバ１の処理について説明する。
【０１４６】
ステップＳ２１において、情報管理サーバ１の音声提供元情報生成部５１は、テレビジョン受信装置３−１から受信情報が送信されてきたか否かを判定する。
【０１４７】
音声提供元情報生成部５１は、ステップＳ２１において、受信情報が送信されてきていないと判定した場合、処理を終了させ、一方、送信されてきたと判定した場合、ステップＳ２２に進み、それを受信する。音声提供元情報生成部５１により受信された受信情報は関連情報管理部５２に出力される。
【０１４８】
ステップＳ２３において、関連情報管理部５２は、音声提供元情報生成部５１から供給された受信情報と関連情報DB５３に記憶されている関連情報に基づいて、テレビジョン受信装置３−１が受信し、再生している番組の音声を提供するストリーミングサーバ２を検索する。
【０１４９】
ここでは、例えば、受信情報に含まれる「service_id」、「original_network_id」、「event_id」と、関連情報DB５３に記憶されている全ての関連情報に含まれる「service_id」、「original_network_id」、「event_id」のマッチング、または、受信情報に含まれる「area」、「channel」、「start time」と、関連情報DB５３に記憶されている全ての関連情報に含まれる「area」、「channel」、「start time」のマッチングが行われる。
【０１５０】
ステップＳ２４において、関連情報管理部５２は、検索の結果に基づいて、対象の関連情報、すなわち、受信情報に含まれるものと同じ「service_id」、「original_network_id」、「event_id」が記述される関連情報、または、受信情報に含まれるものと同じ「area」、「channel」、「start time」が記述される関連情報があるか否かを判定する。
【０１５１】
関連情報管理部５２は、ステップＳ２４において、対象の関連情報があると判定した場合、関連情報DB５３から読み出した対象の関連情報を音声提供元情報生成部５１に出力し、ステップＳ２５に進む。
【０１５２】
ステップＳ２５において、音声提供元情報生成部５１は、関連情報管理部５２から供給された関連情報に含まれるストリーミングサーバ２の情報に基づいて音声提供元情報を生成し、ステップＳ２７に進む。ここで生成された音声提供元情報には、テレビジョン受信装置３−１が受信し、再生している番組の音声を提供するストリーミングサーバ２に関する情報が記述されることになる。
【０１５３】
一方、ステップＳ２４において、関連情報管理部５２は、対象の関連情報がないと判定した場合、そのことを表す情報を音声提供元情報生成部５１に出力し、ステップＳ２６に進む。
【０１５４】
ステップＳ２６において、音声提供元情報生成部５１は、再生中の番組の音声を提供するストリーミングサーバ２がないことを表す情報を含む音声提供元情報を生成し、ステップＳ２７に進む。
【０１５５】
ステップＳ２７において、音声提供元情報生成部５１は、ステップＳ２５、またはステップＳ２６において生成した音声提供元情報をテレビジョン受信装置３−１に送信し、処理を終了させる。テレビジョン受信装置３−１においては、ここで送信された音声提供元情報に基づいてストリーミングサーバ２に対するアクセスなどが行われる。
【０１５６】
次に、図１６のフローチャートを参照して、番組を再生するテレビジョン受信装置３−１の処理について説明する。
【０１５７】
ステップＳ３１において、テレビジョン受信装置３−１の音声提供元情報取得部１１２は、情報管理サーバ１から音声提供元情報が送信されてきたか否かを判定する。
【０１５８】
音声提供元情報取得部１１２は、ステップＳ３１において、音声提供元情報が送信されてきていないと判定した場合、処理を終了させ、一方、送信されてきたと判定した場合、ステップＳ３２に進み、それを受信する。音声提供元情報取得部１１２により受信された音声提供元情報は表示制御部１１３と音声データ取得部１１４に出力される。
【０１５９】
例えば、音声の提供元の一覧が表示制御部１１３により表示され、その中から所定の提供元が選択されたとき、処理はステップＳ３３に進む。なお、情報管理サーバ１から送信されてきた音声提供元情報によって再生中の番組の音声を提供するストリーミングサーバ２がないことが表されている場合、放送波を介して取得された音声が映像にあわせて出力される。
【０１６０】
ステップＳ３３において、音声データ取得部１１４は、音声提供元情報取得部１１２から供給された音声提供元情報に記述されているURIなどに基づいて、ユーザにより選択された音声の提供元であるストリーミングサーバ２にアクセスし、そのストリーミングサーバ２から提供される音声データを取得する。音声データ取得部１１４は取得した音声データを再生制御部１１５に出力する。
【０１６１】
ステップＳ３４において、再生制御部１１５は、映像にあわせて、音声データ取得部１１４から供給された音声データに基づいて音声を出力させる。これにより、ユーザは、ネットワーク４を介して取得された、自らが選択した音声を聞きながら番組を視聴することができる。
【０１６２】
以上においては、テレビジョン受信装置３−１により取得され、再生される番組はテレビジョン放送波を介して取得される番組であるものとしたが、所定のサーバからネットワーク４を介して配信される番組がテレビジョン受信装置３−１によって取得され、再生されるようにしてもよい。上述したようにしてストリーミングサーバ２から提供される音声が選択された場合、ネットワーク４を介して配信されてきた番組の映像が表示されるとともに、それにあわせて、ストリーミングサーバ２から提供されてきた音声が出力される。
【０１６３】
また、テレビジョン受信装置３−１により取得され、再生されるものは、映像と音声からなるコンテンツであればテレビジョン番組に限られない。
【０１６４】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１６５】
コンピュータにインストールされ、コンピュータによって実行可能な状態とされるプログラムを格納するプログラム記録媒体は、図４に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア４１、または、プログラムが一時的もしくは永続的に格納されるROM３２や、記憶部３８を構成するハードディスクなどにより構成される。プログラム記録媒体へのプログラムの格納は、必要に応じてルータ、モデムなどのインタフェースである通信部３９を介して、ローカルエリアネットワーク、インターネット、デジタル衛星放送といった、有線または無線の通信媒体を利用して行われる。
【０１６６】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【０１６７】
また、本明細書において、システムとは、複数の装置により構成される装置全体を表すものである。
【図面の簡単な説明】
【０１６８】
【図１】本発明の一実施形態に係る通信システムの構成例を示す図である。
【図２】テレビジョン受信装置に表示される画面の例を示す図である。
【図３】テレビジョン受信装置に表示される他の画面の例を示す図である。
【図４】情報管理サーバのハードウエア構成例を示すブロック図である。
【図５】情報管理サーバの機能構成例を示すブロック図である。
【図６】音声提供元情報のデータ構造の例を示す図である。
【図７】関連情報のデータ構造の例を示す図である。
【図８】テレビジョン受信装置のハードウエア構成例を示すブロック図である。
【図９】リモートコントローラに設けられるボタンの例を示す図である。
【図１０】音声出力モードの切り替えの例を示す図である。
【図１１】テレビジョン受信装置の機能構成例を示すブロック図である。
【図１２】受信情報のデータ構造の例を示す図である。
【図１３】情報管理サーバの情報管理処理について説明するフローチャートである。
【図１４】テレビジョン受信装置の受信情報送信処理について説明するフローチャートである。
【図１５】情報管理サーバの音声提供元情報送信処理について説明するフローチャートである。
【図１６】テレビジョン受信装置の再生処理について説明するフローチャートである。
【符号の説明】
【０１６９】
１  情報管理サーバ，  ２−１乃至２−ｎ  ストリーミングサーバ，  ３−１乃至３−ｎ  テレビジョン受信装置，  ４  ネットワーク，  ５１  音声提供元情報生成部，  ５２  関連情報管理部，  ５３  関連情報DB，  １１１  受信情報生成部，  １１２  音声提供元情報取得部，  １１３  表示制御部，  １１４  音声データ取得部，  １１５  再生制御部
【図１】
2007274228.tif 000003
【図２】
2007274228.tif 000004
【図３】
2007274228.tif 000005
【図４】
2007274228.tif 000006
【図５】
2007274228.tif 000007
【図６】
2007274228.tif 000008
【図７】
2007274228.tif 000009
【図８】
2007274228.tif 000010
【図９】
2007274228.tif 000011
【図１０】
2007274228.tif 000012
【図１１】
2007274228.tif 000013
【図１２】
2007274228.tif 000014
【図１３】
2007274228.tif 000015
【図１４】
2007274228.tif 000016
【図１５】
2007274228.tif 000017
【図１６】
2007274228.tif 000018